(57)【要約】【課題】使用者が目的地へ接近したことを意識することなく、特定の連絡先へ目的地へ接近したことを連絡することができる携帯電話システムを提供することを目的とする。【解決手段】各地に存在する公衆基地局と使用者が所持する無線携帯電話機とを備える携帯電話システムであって、公衆基地局は、自公衆基地局を識別する公衆基地局ＩＤを記憶し、無線ゾーン内に位置する無線携帯電話機に対して自公衆基地局ＩＤを送信する手段を持つ。無線携帯電話機では、入力された目的地近傍の公衆基地局の公衆基地局ＩＤを公衆基地局ＩＤデータベースから検索して登録し、また入力された連絡先も登録しておく。自無線携帯電話機が移動することにより、受信している公衆基地局ＩＤが変更されたとき、その公衆基地局ＩＤが前記目的地近傍の公衆基地局ＩＤかを比較し、一致したら、目的地近傍到着を連絡先に連絡する。【選択図】  図１
2011211256.tif 000002
【特許請求の範囲】
【請求項１】
各地に存在する公衆基地局と使用者が所持する無線携帯電話機とを備える携帯電話システムであって、
前記公衆基地局は、
自公衆基地局を識別するＩＤである公衆基地局ＩＤを記憶する公衆基地局ＩＤ記憶手段と、
自公衆基地局の無線ゾーン内に位置する無線携帯電話機に対して、自公衆基地局ＩＤを含む無線制御情報を送信する制御情報管理手段と
を備え、
前記無線携帯電話機は、
各地に存在する公衆基地局の公衆基地局ＩＤと位置情報が登録されている公衆基地局ＩＤデータベースと、
使用者による目的地の入力を受け付け、入力された目的地近傍の公衆基地局の公衆基地局ＩＤを前記公衆基地局ＩＤデータベースから検索して登録する公衆基地局ＩＤ登録手段と、
使用者により入力された連絡受信者の連絡先を登録する連絡受信者情報登録手段と、
自無線携帯電話機が無線ゾーン内に位置しているところの公衆基地局から受信した公衆基地局ＩＤを格納する公衆基地局ＩＤ記憶手段と、
自無線携帯電話機が移動することにより前記公衆基地局ＩＤ記憶手段に格納された公衆基地局ＩＤが変更されたとき、該新たな公衆基地局ＩＤと前記公衆基地局ＩＤ登録手段に登録されている公衆基地局ＩＤとを比較し、一致していたら、目的地近傍到着を前記連絡受信者情報登録手段に登録されている連絡先に連絡する制御手段と
を備えることを特徴とする携帯電話システム。
【発明の詳細な説明】
【技術分野】
【０００１】
本発明は、自らの所在地が目的位置に到達したときに所定の連絡先に連絡を行う無線携帯電話機に係る携帯電話システムに関するものである。
【背景技術】
【０００２】
近年、携帯電話システムは高度に発達し、ほとんどいかなる場所でも無線携帯電話機による発着信が可能である。また最近は、電話機能のみならず、インターネットへの接続、ＧＰＳ（Global Positioning System）利用の地図情報や位置情報といった付加技術も利用可能な携帯電話が普及しつつあり、使用者はお互いの位置をメール等の連絡手段で知ることができる。
【０００３】
図６は、従来の目的地到着を認識する携帯電話システムの構成を示すブロック図である。無線携帯電話機601は、音声の入力を行うマイク部602、音声出力を行うスピーカ部603、音声信号のゲイン調整を行う音声インタフェース604、音声や制御の符号データを後述する公衆基地局701と送受信するための公衆基地局間無線インタフェース605、公衆基地局との電波の送受信を行うアンテナ部607、無線携帯電話機601を制御する無線携帯電話制御部608、ダイヤル番号・日付などの情報を表示するためにＬＥＤおよびＬＣＤディスプレイ等で構成される表示部606、外部からダイヤル入力やオンフック・オフフック等の機能の指示を行う操作部609、後述する公衆基地局701から送信される公衆基地局ＩＤを記憶する公衆基地局ＩＤ記憶部610、無線ゾーンが変わったときに位置登録を起動する位置登録管理部611、および、操作部609より入力される指定公衆基地局の公衆基地局ＩＤを格納する公衆基地局ＩＤ登録部612で構成される。
【０００４】
図７は、公衆基地局の構成を示すブロック図である。公衆基地局701は、無線携帯電話機601との間で電波の送受信を行うアンテナ部702、音声や制御の符号データを無線携帯電話機601と送受信するための携帯電話機間無線インタフェース703、局線側と音声や制御データのディジタル信号を送受信する通信部704、公衆基地局701を制御する公衆基地局制御部705、無線で無線携帯電話機601に送出される公衆基地局の識別コードを格納する公衆基地局ＩＤ記憶部706、無線携帯電話機601が位置登録をしたときの無線携帯電話機601の位置登録を行う位置登録管理部707、並びに、公衆基地局ＩＤ記憶部706に格納されている公衆基地局ＩＤおよび各種制御情報を常時無線で送出する制御情報管理部708で構成される。
【０００５】
上述の従来の携帯電話システムの動作を説明する。
【０００６】
携帯電話システムにおいては、全無線携帯電話機601の所在地を統括管理するセンターが、各無線携帯電話機601が全国各地に設置されたどの公衆基地局701の無線ゾーンに位置しているかを把握している。無線ゾーンとは、公衆基地局701の電波が正常に届き、無線携帯電話機601と正常に通信可能な範囲である。そのため、無線携帯電話機601は、自分がどの公衆基地局の無線ゾーンに属しているかを、公衆基地局を介しセンターへ報告しなければならない。無線携帯電話機601により行われるこの動作を位置登録と呼ぶ。
【０００７】
次に、この位置登録の起動手順を説明する。公衆基地局701において、制御情報管理部708は、公衆基地局ＩＤ記憶部706に格納されている公衆基地局ＩＤおよびその他の制御情報を無線制御情報として、携帯電話機間無線インタフェース703およびアンテナ部702を介して送出を行う。無線携帯電話機601における公衆基地局間無線インタフェース605は、アンテナ部607を介して一度受信した前記無線制御情報を監視し続ける。無線携帯電話機601の使用者の移動により、公衆基地局間無線インタフェース605が現在受信している無線制御情報を見失い、次に新たな無線制御情報を受信する。無線携帯電話機601の位置登録管理部611は、捕捉した無線制御情報中の公衆基地局ＩＤと公衆基地局ＩＤ記憶部610に格納されている公衆基地局ＩＤとを比較し、一致しなければ、前回位置登録を行った公衆基地局701とは異なる公衆基地局の無線ゾーンに位置していると判定し、新しい公衆基地局のＩＤを公衆基地局ＩＤ記憶部610に格納し、位置登録を起動する。一致すれば、前回位置登録を行った公衆基地局の無線ゾーンに位置していると判定し、位置登録は起動しない。
【０００８】
更に、移動により公衆基地局の無線ゾーンが切り替わったときの位置登録起動手順および目的地に到着時のベル鳴動動作を説明する。
【０００９】
まず、無線携帯電話機601において、操作部609のダイヤルボタンにより、目的地に設置されている公衆基地局の公衆基地局ＩＤの入力を行う。無線携帯電話制御部608は、入力された公衆基地局ＩＤを公衆基地局ＩＤ登録部612に格納する。公衆基地局701における制御情報管理部708は、公衆基地局ＩＤ記憶部706に格納されている公衆基地局ＩＤおよびその他の制御情報を無線制御情報として、携帯電話機間無線インタフェース703およびアンテナ部702を介して送出を行う。無線携帯電話機601における公衆基地局間無線インタフェース605は、アンテナ部607を介して一度受信した前記無線制御情報を監視し続ける。無線携帯電話機601の使用者の移動により、公衆基地局間無線インタフェース605が現在受信している無線制御情報を見失い、次に新たな無線制御情報を受信する。無線携帯電話機601の位置登録管理部611は、捕捉した無線制御情報中の公衆基地局ＩＤと公衆基地局ＩＤ記憶部610に格納されている公衆基地局ＩＤとを比較し、一致しなければ、前回位置登録を行った公衆基地局701とは異なる公衆基地局の無線ゾーンに位置していると判定し、新しい公衆基地局のＩＤを公衆基地局ＩＤ記憶部610に格納し、位置登録を起動する。一致すれば、前回位置登録を行った公衆基地局の無線ゾーンに位置していると判定し、位置登録は起動しない。位置登録を起動した場合、次に受信した無線制御情報中の公衆基地局ＩＤと公衆基地局ＩＤ登録部612に格納されている公衆基地局ＩＤとを比較し、一致すれば使用者が登録した目的地に到着したと判定し、ベルを鳴動させ、使用者に目的地に到着したことを通知する。
【００１０】
本発明に関連する公知技術文献としては下記特許文献１があげられる。特許文献１に記載の携帯電話システムは、無線携帯電話機が目的地に存在する公衆基地局の無線ゾーンに移動したとき、無線携帯電話機がユーザに対し、ベルで鳴動させることにより目的地に到着したことを通知するものである。
【先行技術文献】
【特許文献】
【００１１】
【特許文献１】特開平７−３０９５９号公報
【発明の概要】
【発明が解決しようとする課題】
【００１２】
しかしながら、前述した従来の目的地到着を認識する携帯電話システムでは、公衆基地局が送出する無線制御情報中の公衆基地局ＩＤが使用者側で分からないこと、またベルを鳴動させるため使用者本人しか目的地到着を認識することができないという問題があった。
【００１３】
本発明の目的は、使用者が目的地へ接近したことを意識することなく、特定の連絡先へ目的地へ接近したことを連絡することができる携帯電話システムを提供することにある。
【課題を解決するための手段】
【００１４】
上記目的を達成するため、本発明の携帯電話システムは、各地に存在する公衆基地局と使用者が所持する無線携帯電話機とを備える携帯電話システムであって、前記公衆基地局は、自公衆基地局を識別するＩＤである公衆基地局ＩＤを記憶する公衆基地局ＩＤ記憶手段と、自公衆基地局の無線ゾーン内に位置する無線携帯電話機に対して、自公衆基地局ＩＤを含む無線制御情報を送信する制御情報管理手段とを備え、
【００１５】
前記無線携帯電話機は、各地に存在する公衆基地局の公衆基地局ＩＤと位置情報が登録されている公衆基地局ＩＤデータベースと、使用者による目的地の入力を受け付け、入力された目的地近傍の公衆基地局の公衆基地局ＩＤを前記公衆基地局ＩＤデータベースから検索して登録する公衆基地局ＩＤ登録手段と、使用者により入力された連絡受信者の連絡先を登録する連絡受信者情報登録手段と、自無線携帯電話機が無線ゾーン内に位置しているところの公衆基地局から受信した公衆基地局ＩＤを格納する公衆基地局ＩＤ記憶手段と、自無線携帯電話機が移動することにより前記公衆基地局ＩＤ記憶手段に格納された公衆基地局ＩＤが変更されたとき、該新たな公衆基地局ＩＤと前記公衆基地局ＩＤ登録手段に登録されている公衆基地局ＩＤとを比較し、一致していたら、目的地近傍到着を前記連絡受信者情報登録手段に登録されている連絡先に連絡する制御手段とを備えることを特徴とする。
【発明の効果】
【００１６】
本発明によれば、使用者が目的地へ接近したことを意識することなく、特定の連絡先へ目的地へ接近したことを連絡することができる携帯電話システムを提供することができる。
【図面の簡単な説明】
【００１７】
【図１】本発明の一実施形態例を示す携帯電話のブロック図である。
【図２】公衆基地局ＩＤデータベースに格納されているデータの構成図である。
【図３】本発明の一実施形態例を示すシステム構成図である。
【図４】本発明の一実施形態例を示すメールの文面である。
【図５】本発明の一実施形態例を示すフローチャートである。
【図６】従来の携帯電話のブロック図である。
【図７】従来の公衆基地局のブロック図である。
【発明を実施するための形態】
【００１８】
以下、本発明を実施する場合の実施形態を、図面を用いて詳細に説明する。
【００１９】
図１は、本発明の一実施形態を示すシステム構成図である。この実施形態の携帯電話システムにおいて、無線携帯電話機101は、音声の入力を行うマイク部102、音声出力を行うスピーカ部103、音声信号のゲイン調整を行う音声インタフェース104、音声や制御の符号データを前出図７と同等の公衆基地局701との間で送受信するための公衆基地局間無線インタフェース105、公衆基地局との間で電波の送受信を行うアンテナ部107、無線携帯電話機101を制御する無線携帯電話制御部108、ダイヤル番号・日付などの情報を表示するためにＬＥＤおよびＬＣＤディスプレイ等で構成される表示部106、外部からダイヤル入力やオンフック・オフフック等の機能の指示を行う操作部109、前出図７と同等の公衆基地局701から送信される公衆基地局ＩＤを記憶する公衆基地局ＩＤ記憶部110、無線ゾーンが変わったときに位置登録を起動する位置登録管理部111、操作部109より入力される連絡受信者を格納する連絡受信者情報登録部112、連絡受信者情報登録部112に登録された連絡受信者へ連絡する連絡管理部113、操作部109より入力される目的地近傍の公衆基地局データベース情報を格納する公衆基地局ＩＤデータベース114、および、公衆基地局ＩＤデータベース114より検索された公衆基地局の公衆基地局ＩＤを格納する公衆基地局ＩＤ登録部115を備える。
【００２０】
図２は、前出図１の無線携帯電話機101の公衆基地局ＩＤデータベース114に格納される公衆基地局データベース情報の一例である。図に示すように、公衆基地局ＩＤデータベース情報は、公衆基地局ＩＤ201、地名202、経度緯度203、および無線有効ゾーン204で構成され、更新または登録日別に、公衆基地局に関するこれらのデータが登録される。
【００２１】
図３は、本実施形態の携帯電話システムの使用イメージを示す図である。同図は、前出図１の無線携帯電話機101を使用する使用者308が、使用者308が登録した目的地301に向かって移動し、目的地301近傍にある公衆基地局304の無線有効ゾーン305に到達し、使用者308が予め登録していた連絡受信者へ連絡することを示すものである。
【００２２】
以上で、本実施形態に係る携帯電話システムの構成および機能の概要についての説明を終了し、以下、本実施形態に係る携帯電話システムの動作について詳しく説明する。
【００２３】
図３について具体的な例を挙げる。例えば、目的地301を横浜駅とした場合、使用者308は無線携帯電話機101に横浜駅を目的地として登録する。ここで無線携帯電話機101は、横浜駅近傍に存在する公衆基地局302,304,306を自動的に公衆基地局ＩＤデータベース114より検索し、公衆基地局ＩＤ登録部115へ登録する。なお、この公衆基地局ＩＤデータベース114は無線携帯電話機101に必ずしも内蔵されている必要はなく、例えばインターネット上に基地局ＩＤデータベースを設置し、携帯電話会社のネットワークを用いて情報を取得してもよい。次に、使用者308は、目的地横浜駅に接近した際に連絡する連絡先（ここでは連絡受信者のメールアドレスとする）を無線携帯電話機101へ登録する。これは例えば、無線携帯電話機101に予め登録されているアドレス帳を用いてもよいし、操作部109より使用者308が入力してもよい。そして、使用者308が無線携帯電話機101を持ち、例えば電車で目的地横浜駅に移動し、横浜駅付近で公衆基地局304の無線有効ゾーン305に到達したとする。すると無線携帯電話機101は自動的に横浜駅付近に到着したことを認識し、予め登録した連絡受信者へ連絡する。
【００２４】
図４は、連絡するメールの一例である。連絡手段としてはメールの他に、電話の自動発信やインターネット上の掲示板への書き込み等がある。
【００２５】
図５は、無線携帯電話機101における公衆基地局の無線ゾーンが切り替わったときの位置登録起動手順および目的地に到着時の連絡受信者への連絡動作を示すフローチャートである。
【００２６】
無線携帯電話機101における公衆基地局間無線インタフェース105は、アンテナ部107を介して一度受信した前記無線制御情報を監視し続ける(S500)。無線携帯電話機101の使用者の移動により、公衆基地局間無線インタフェース105が現在受信している無線制御情報を見失い(S501)、次に新たな無線制御情報を受信する(S502)。無線携帯電話機101の位置登録管理部111は、捕捉した無線制御情報中の公衆基地局ＩＤと公衆基地局ＩＤ記憶部110に格納されている公衆基地局ＩＤとを比較し(S503)、一致しなければ、前回位置登録を行った公衆基地局701とは異なる公衆基地局の無線ゾーンに位置していると判定し、新しい公衆基地局のＩＤを公衆基地局ＩＤ記憶部110に格納し(S504)、位置登録を起動する(S505)。S503で公衆基地局ＩＤが一致した場合は、前回位置登録を行った公衆基地局の無線ゾーンに位置していると判定し、位置登録は起動しない。位置登録を起動した場合、次に、受信した無線制御情報中の公衆基地局ＩＤと公衆基地局ＩＤ登録部115に格納されている公衆基地局ＩＤとを比較し(S506)、一致すれば使用者が登録した目的地に到着したと判定し、予め登録した連絡受信者へ連絡し(S507)、連絡受信者へ目的地に到着したことを通知する。S506で公衆基地局ＩＤが一致しなかった場合は、S500に戻って無線制御情報の監視を続ける。
【符号の説明】
【００２７】
101,601…携帯電話無線機、102,602…マイク部、103,603…スピーカー部、104,604…音声インタフェース、105,605…公衆基地局間無線インタフェース、106,606…表示部、107,607,702…アンテナ部、108,608…無線携帯電話制御部、109,609…操作部、110,610,706…公衆基地局ＩＤ記憶部、111,611,707…位置登録管理部、112…連絡受信者情報登録部、113…連絡管理部、114…公衆基地局ＩＤデータベース、115,612…公衆基地局ＩＤ登録部、201…公衆基地局ＩＤ、202…地名、203…緯度経度、204…無線有効ゾーン、301…目的地、302,304,306,701…公衆基地局、303,305,307…無線有効ゾーン、308…使用者、703…携帯電話機間無線インタフェース、704…通信部、705…公衆基地局制御部、708…制御情報管理部。
【図１】
2011211256.tif 000003
【図２】
2011211256.tif 000004
【図３】
2011211256.tif 000005
【図４】
2011211256.tif 000006
【図５】
2011211256.tif 000007
【図６】
2011211256.tif 000008
【図７】
2011211256.tif 000009